(57)【要約】【課題】框の隙間から針金を挿入して引戸錠を不正に解錠することを防止する。【解決手段】引戸錠の室内側の内側操作部材１４に坦持され、中央部が見込み方向の第１回転軸１７の回りを回動可能に支承されたストッパー１６と、このストッパー１６の近傍において見付け方向の第２回転軸１９の回りを回動可能に支承され、一端がストッパーの一端と係合してその回動を阻止する方向に付勢されると共に、他端が室内に露出するリリースレバー１８と、引戸錠の施錠時でかつストッパーの一端とリリースレバーの係止端とが係合しているとき、ストッパーの他端との干渉を避けるため案内部材２３に逃げ開口２４を形成する。【選択図】　図２
2004044180.tif 000002
【特許請求の範囲】
【請求項１】
内側框の室内側に装着され、上下方向に延在する内側操作部材と、この内側操作部材の少なくとも側端縁と摺接可能に係合してこれを上下方向に移動可能に案内する案内部材とを有する引戸錠において、この内側操作部材に坦持され、中央部が見込み方向の第１回転軸の回りを回動可能に支承されたストッパーと、このストッパーの近傍において見付け方向の第２回転軸の回りを回動可能に支承され、一端がストッパーの一端と係合してその回動を阻止する方向に付勢されると共に、他端が室内に露出するリリースレバーと、引戸錠の施錠時でかつストッパーの一端とリリースレバーの係止端とが係合しているとき、ストッパーの他端との干渉を避けるため案内部材に形成された逃げ開口とを有することを特徴とする引戸錠の安全装置。
【発明の詳細な説明】
【０００１】
【発明の属する技術分野】
この発明は、引戸錠の安全装置（以下単に安全装置という）に係り、特に、障子の隙間から針金を通して室内側の内側操作部材を動かすことを防止できる安全装置に関する。
【０００２】
【従来の技術】
引戸錠は、例えば図１に示すように、相互に引き違いとなり、引戸閉鎖時相互に対向する外側框１と内側框２とを、例えば内側框２から振り出されるカマ３を外框１のストライク板４の開口に係入させて引っ掛けることにより、このカマ３を介して外側及び内側框１、２を相互に固定するものである。
【０００３】
引戸錠には種々の構造のものがあるが、例えば図１に示すものは、内側框２に植設された水平な支軸５に揺動可能に支承されたカマ３の内端部を、スライダ６に植設された駆動ピン７によって動かし、外端の鉤形部を振り出し、或いは引っ込める構造である。
【０００４】
上記スライダ６は、内側框２において上下方向に延在すると共に、同方向に移動可能に案内されており、その側端縁に形成されたラック歯列８及びピニオン９を介して、例えば断面が方形の異形孔を形成した筒状の従動部材１１に連結されている。
【０００５】
一方、外側框１に装着された外側エスカチオン１２には、シリンダ錠１３が内外方向（図１で左右方向）に移動可能に案内されており、図示しない合鍵をシリンダ錠の鍵孔に差込んでシリンダ錠全体を内側框２側に押動し、その内筒内端に装着された連結杆を従動部材の異形孔に嵌合させた後合鍵を所定の方向に回す。
【０００６】
すると、従動部材１１が合鍵と一体的に回動し、ピニオン９と噛み合うスライダ６が上下動するので、カマ３が内框から振り出され、或いは引っ込められて引戸錠の施解錠が行われる。
【０００７】
他方、内側框２の室内側には、上下方向に延在する内側操作部材１４が同方向に移動可能に案内されており、その外側に植設された連結ピン１５が前記スライダ６と係合している。
【０００８】
そのため、内側操作部材１４を上下方向に動かすことにより、室内側から引戸錠の施解錠を行うことができる。
【０００９】
【発明が解決しようとする課題】
上記した構造の引戸錠は、不正解錠の方法を公表することになるので詳細に述べることはできないが、内側及び外側框の間の隙間から針金などを差込み、内側操作部材１４を解錠方向に移動させることにより、不正解錠が不可能ではない、等未だ改良の余地がある。
【００１０】
そこで、この発明は、上記した外側から内側操作部材を操作することによる不正解錠を有効に防止し得る引戸錠の安全装置を提供することを目的としている。
【００１１】
なお、この発明は、図１に示す引戸錠に限定されることなく、例えば特許第１７１１９０１号、或いは同第１９１４４１６号に係る引戸錠のように、内側操作部材によって室内側から引戸錠の施解錠を行うことができる引戸錠の全てに適用することができる。
【００１２】
【課題を解決するための手段】
上記の目的を達成するため、この発明は、内側框の室内側に装着され、上下方向に延在する内側操作部材と、この内側操作部材の少なくとも側端縁と摺接可能に係合してこれを上下方向に移動可能に案内する案内部材とを有する引戸錠において、この内側操作部材に坦持され、中央部が見込み方向の第１回転軸の回りを回動可能に支承されたストッパーと、このストッパーの近傍において見付け方向の第２回転軸の回りを回動可能に支承され、一端がストッパーの一端と係合してその回動を阻止する方向に付勢されると共に、他端が室内に露出するリリースレバーと、引戸錠の施錠時でかつストッパーの一端とリリースレバーの係止端とが係合しているとき、ストッパーの他端との干渉を避けるため案内部材に形成された逃げ開口とを有することを特徴とする。
【００１３】
【実施例】
以下この発明の一実施例を図面を参照して説明する。
図１及び図２において符号１６はストッパーを示し、このストッパー１６は、特に図２において明らかなように、全体の形状が略Ｌ字形の板状体で、図示の実施例では、Ｌ字形の短辺と長辺が交差する中央部を、見付け方向（図１及び図３で左右方向）の第１回転軸１７の回りを回動可能に支承されている。
【００１４】
換言すれば、ストッパー１６は、内側エスカチオン２０内において、引戸の面と平行な平面内で回動可能に支承されている。
【００１５】
一方、このストッパー１６の近傍、図示の実施例ではストッパー１６に近接して上方、には、リリースレバー１８が見込み方向（図１及び図３で紙面方向）の第２回転軸１９の回りを回動可能に支承されている。
【００１６】
図示の実施例におけるリリースレバー１８は、図１に示すように、第２回転軸１９に関し上方には直方体の一部をなす付番しない操作端が、下方には断面形状が横向きＪ字形の付番しない係止端が形成されている。
【００１７】
また、上記操作端及び係止端は第２回転軸１９に関し内外に突在しており、その内常態における操作端は、図１及び図４に示すように、内側操作部材１４の室内側に一体に突設された操作摘み２１の凹陥部に収納されている。
【００１８】
更にまた、リリースレバー１８は、捩りコイルばねとしてのリリースレバーばね２２（図３参照）の弾力により、図３で時計方向に付勢されており、常態においては、図１に示すように、係止端が操作摘み２１の内側に当接し、図示の角度位置、すなわち、ストッパーの短辺の先端である一端が見込み方向において係止端と整合する角度位置をとる。
【００１９】
他方、図２に示すように、引戸錠の施錠時でかつストッパー１６の一端とリリースレバー１８の係止端が係合しているとき、ストッパーの他端、すなわち、Ｌ字形の長辺の先端がほぼ水平に延在して、内側操作部材１４の案内部材２３を貫通して側方に突出するように、ストッパー１６の他端部の長さ及び形状が設定されている。
【００２０】
図示の実施例では、上記案内部材２３は断面コ字形の樋状の部材で、施錠時においてストッパー１６の先端との干渉を避けるため、その側端縁部には逃げ開口２４（図５参照）が形成されている。
【００２１】
なお、ストッパー１６の一端とリリースレバー１８の係止端との当接の態様は、図２に示すように、リリースレバーが内側操作部材１４と一体的に上方、すなわち解錠方向に移動し、ストッパー１６の他端と上記逃げ開口２４との相対移動によりストッパーが傾動するとき、ストッパーの一端がリリースレバー１８に近接するように設定するものとする。
【００２２】
上記のように構成されたこの発明の一実施例による安全装置は、施錠されている引戸錠を室内側から解錠しようとして操作摘み２１の下側に手指を当てこれを押し上げると、リリースレバーばね２２の弾力によりリリースレバー１８はストッパー１６の一端と係合しているので、内側操作部材１４の上昇に伴うストッパー１６の図２における時計方向の回動は、ストッパー１６の一端を介してリリースレバー１８の係止端に規制される。
【００２３】
従って、図２から明らかなように、内側操作部材１４はリリースレバー１８を介して案内部材２３に係止され、上昇することができない。
【００２４】
換言すれば、単に操作摘み２１を押し上げるだけでは引戸錠を解錠することができず、この事情は内側及び外側框の隙間から針金を室内に差し入れて内側操作部材を引き上げる場合と同じなので、前記した針金を使用しての不正解錠を完全に防止できる。
【００２５】
一方、室内側からこの引戸錠を解錠するには、図４に示すリリースレバー１８の操作端と操作摘み２１の下側とを２本の指で摘むようにして、図３に示すようにリリースレバー１８を反時計方向に回動させる。
【００２６】
すると、図３から明らかなように、リリースレバー１８の係止端とストッパー１６の一端とが見込み方向で位置を違えることになる。
【００２７】
この状態で内側操作部材１４を押し上げると、上記したと同様にしてストッパー１６が図２で反時計方向に回動し、その一端がリリースレバー１８の係止端に食い込むように近接しようとするが、上記したようにこれらは見込み方向で位置が食い違っているので、ストッパーがその回動を阻止されることはない。
【００２８】
内部操作部材１４が移動を始めたらリリースレバーを手放して良い。手放した場合、リリースレバーはリリースレバーばね２２の弾力によってストッパーの一端と重合し、重合した状態でストッパーは回動を続け、結局、図５に示すようにストッパーの一端はリリースレバー１８の係止端の下側に入り込む。
【００２９】
引戸錠を室内側から施錠するときには、ストッパー１６が図５に示す角度位置にある状態から、その侭操作摘み２１を室内側から引き下げる。
【００３０】
すると、ストッパー１６は図５に示す角度位置の侭下方に移動し、その他端が逃げ開口２４の開口端縁に形成された棚板２５に当接するに致り、ストッパー１６は時計方向に強制的に回動され、図２に示すように、その他端部が逃げ開口２４を挿通して案内部材２４の側端縁外に突出して、元の施錠状態に戻る。
【００３１】
なお、図示の実施例における棚板２５は、案内部材２４の逃げ開口の開口端縁付近の部分を内側に切り起こして形成されているが、例えば案内部材の底面に植設された図示しないピン等、他の部材で代用することができる。
【００３２】
【発明の効果】
以上の説明から明らかなように、この発明は、内側操作部材に坦持され、中央部が見込み方向の第１回転軸の回りを回動可能に支承されたストッパーと、このストッパーの近傍において見付け方向の第２回転軸の回りを回動可能に支承され、一端がストッパーの一端と係合してその回動を阻止する方向に付勢されると共に、他端が室内に露出するリリースレバーと、引戸錠の施錠時でかつストッパーの一端とリリースレバーの係止端とが係合しているとき、ストッパーの他端との干渉を避けるため案内部材に逃げ開口を形成したから、リリースストッパーを室内側から操作しない限り内側操作部材を解錠方向に動かすことができず、したがって外側及び内側框の間の隙間から針金を挿入しての不正解錠を有効に阻止することができる、という所期の効果を奏する。
【図面の簡単な説明】
【図１】この発明の一実施例による安全装置を装着した引戸錠の断面図で、施錠状態を示す。
【図２】引戸錠の内側エスカチオンの裏面図で、施錠状態を示す。
【図３】この発明の一実施例による安全装置を装着した引戸錠の一部断面図で、リリースレバーを操作して解錠しようとする場合を示す。
【図４】引戸錠の内側エスカチオンの室内側からみた正面図。
【図５】図２と同様の引戸錠の内側エスカチオンの裏面図で、解錠状態を示す。
【符号の説明】
１　外側框
２　内側框
１４　内側操作部材
１６　ストッパー
１７　第１回転軸
１８　リリースレバー
１９　第２回転軸
２１　操作摘み
２３　案内部材
２４　逃げ開口
【図１】
2004044180.tif 000003
【図２】
2004044180.tif 000004
【図３】
2004044180.tif 000005
【図４】
2004044180.tif 000006
【図５】
2004044180.tif 000007